(57)【要約】  本発明は、液晶パネル等の表示パネルを筐体内に収納し外部から筐体内のパネルに表示された画像や映像を視認することができるディプレイ装置において、太陽光の直射による高温化や、表示パネルからの発熱による高温化によって生じる表示パネルのブラックアウト現象を効率よく且つ確実に防止することを目的とする。  本発明のディプレイ装置は、筐体と、該筐体内に収納されて画像又は映像を表示する表示パネル（１０）と、該表示パネルに対向する筐体の一部に形成されるとともに、筐体内部を視認できる透明な部材で形成された視認部（６）と、ヒートポンプサイクルを構成する空気調整機と、該空気調整機の前記蒸発器で冷却された冷却空気を、前記視認部と前記表示パネルとの間の空間（４７）に、表示パネルの上方から下方に向かって流通させる冷却空気供給手段（４６、４８）とを備えたことを特徴とする。
2012140714.tif 000002
【特許請求の範囲】
【請求項１】
筐体と、
該筐体内に収納されて画像又は映像を表示する表示パネルと、
該表示パネルに対向する前記筐体の一部に形成されるとともに、筐体内部を視認できる透明な部材で形成された視認部と、
圧縮機、凝縮器、膨張弁、及び蒸発器を接続しこれら機器に冷媒を循環させてヒートポンプサイクルを構成する空気調整機と、
該空気調整機の前記蒸発器で冷却された冷却空気を、前記視認部と前記表示パネルとの間であって且つ表示パネルの上方から下方に向かって流通させる冷却空気供給手段と、を備えたことを特徴とするディスプレイ装置。
【請求項２】
筐体外部の外部空気を前記空気調整機の前記凝縮器で加熱し、前記凝縮器で加熱された加熱空気の少なくとも一部を、前記視認部の外側表面に導いて該外側表面に沿って流通させる加熱空気供給手段を備えたことを特徴とする請求項１記載のディスプレイ装置。
【請求項３】
前記加熱空気供給手段は、前記冷却空気供給手段により前記視認部と前記表示パネルとの間に流通される冷却空気の流れと同方向になるように、前記加熱空気を流通させることを特徴とする請求項２記載のディスプレイ装置。
【請求項４】
前記空気調整機を一つの空調ハウジング内に収納してユニット化するとともに、前記筐体内部に配置される空調ユニットと、
前記空調ユニットは、前記表示パネルよりも下方に配置され、
前記冷却空気供給手段は、
前記筐体内であって、前記表示パネルよりも上方に設けた冷却空気ディフューザと、
前記冷却空気ディフューザに設けられて前記視認部と表示パネルとの間に向けて開口されたスリットとにより構成されていることを特徴とする請求項１記載のディスプレイ装置。
【請求項５】
前記空調ユニットは、筐体内の内部空気を前記蒸発器に取り込む内部空気取込口を前記空調ハウジングの上面に設けていることを特徴とする請求項４記載のディスプレイ装置。
【請求項６】
前記筐体の視認部と反対側の面を構成するバックパネルと、前記空調ユニットとが一体化して形成されることを特徴とする請求項４又は５記載のディスプレイ装置。
【請求項７】
前記空調ユニットは、前記外部空気を前記凝縮器に取り込む外部空気吸入口を前記空調ハウジングの側面に設け、さらに、空調ハウジングの外部空気吸入口に対向した前記筐体に外部空気取込口が形成されていることを特徴とする請求項４又は５記載のディスプレイ装置。
【請求項８】
前記視認部と表示パネルとの間に流通される冷却空気の温度を検出する冷却空気温度計と、
前記冷却空気温度計の検出値に基づいて、前記視認部と表示パネルとの間に流通される冷却空気温度を制御する温度制御装置と、
該温度制御装置に入力される前記冷却空気温度の検出値を含む筐体の内部および外部の環境情報を、ネットワークを介して外部のネットワーク機器に配信する環境情報配信手段と、を備えたことを特徴とする請求項１記載のディスプレイ装置。
【請求項９】
前記空気調整機を一つの空調ハウジング内に収納して空調ユニットを構成するとともに、該空調ユニット内に前記温度制御装置および前記環境情報配信手段をも収納配置されることを特徴とする請求項８記載のディスプレイ装置。
【発明の詳細な説明】
【技術分野】
【０００１】
本発明は、ディスプレイ装置に関するものであり、詳しくは筐体と該筐体内に収納された表示用のパネルとを有するディスプレイ装置に関するものである。
【背景技術】
【０００２】
筐体と、該筐体内に収納されて画像や映像を表示するパネルとを備え、前記筐体の少なくとも一部をガラス等の透明な材料で形成された視認部とすることで、外部から筐体内のパネルに表示された画像や映像を視認することができるディスプレイ装置が知られている。【０００３】
このようなディスプレイ装置では、例えば前記パネルが液晶パネルである場合、筐体の外部の環境や液晶パネルの稼動によって筐体内部に熱が発生し、筐体内部が高温化する。そして、筐体内部が高温化し、液晶パネルの表示面の温度が約６５℃以上となると、表面が黒化するブラックアウト現象が発生して画像や映像が表示されなくなったり、ガラス等の透明な材料で形成された視認部の内面に結露が発生して、ディスプレイ装置としての機能を果たさなくなる場合がある。【０００４】
ブラックアウト現象を防止するためには、筐体に筐体内部と外部とを連通する空気孔を設けることが考えられる。該空気孔を設けることにより、高温化した筐体内部の空気を筐体外部に排出して、筐体内部の空気温度を下げることができると考えられるためである。しかし、ディスプレイ装置を屋外に配置する場合、筐体に空気孔を設けると雨天時に内部に雨が侵入する可能性があり、筐体に空気孔を設けることは好ましくない。そのため、ディスプレイ装置を屋外に配置する場合も考慮すると、筐体を密閉した状態で、パネルのブラックアウト現象を防止する必要がある。【０００５】
そこで、筐体内部に空気調和機を設け、該空気調和機により筐体内部を所定の温度（例えば３０〜３５℃）に維持し、液晶パネルのブラックアウト現象を防止する技術が知られている。【０００６】
例えば、特許文献１に開示された技術は、中空のスタンドと、内部に画像や映像を表示するパネルが収納された筐体と、前記パネルに表示される画像や映像の信号を制御するコンピュータと、ヒートポンプサイクルを構成する空気調和機とを備えている。そして、中空のスタンドは筐体の底面に接続されている。また、コンピュータは筐体内に配置され、空気調和機を構成する蒸発器は筐体の底パネルの開口部に接続され、空気調和機を構成する圧縮機は前記スタンドの底パネルに配置されている。また、特許文献１には、中空スタンドが設けられない構造や、コンピュータが筐体の外部に設けられる構造についても開示されている。
そして、天候状態の変化に対して空気調和機により筐体内の温度を所定温度に保つことができるようにしている。
【先行技術文献】
【特許文献】
【０００７】
【特許文献１】特表２００８−５１９２９１号公報
【発明の概要】
【発明が解決しようとする課題】
【０００８】
しかしながら、特許文献１に開示された従来技術は、筺体の底面から、または画像や映像を表示する表示パネルの裏側から冷気が噴出されて、筐体内部全体を所定の温度に保持するものであるため、表示パネルの表面側、特に、表示パネルから発せられる熱によって上部が高温化するため、この表示パネルの上部での高温化を防止するには空気調和機に高い能力が必要となる。そのため空気調和機が大型化して、ディスプレイ装置が大型化する問題がある。【０００９】
従って、本発明は係る従来技術の問題点に鑑み、液晶パネル等の表示パネルを筐体内に収納し外部から筐体内のパネルに表示された画像や映像を視認することができるディプレイ装置において、太陽光の直射による高温化や、表示パネルからの発熱による高温化によって生じる表示パネルのブラックアウト現象を効率よく且つ確実に防止するディスプレイ装置を得ることを目的とする。
【課題を解決するための手段】
【００１０】
上記の課題を解決するために、本発明は、筐体と、該筐体内に収納されて画像又は映像を表示する表示パネルと、該表示パネルに対向する前記筐体の一部に形成されるとともに、筐体内部を視認できる透明な部材で形成された視認部と、圧縮機、凝縮器、膨張弁、及び蒸発器を接続しこれら機器に冷媒を循環させてヒートポンプサイクルを構成する空気調整機と、該空気調整機の前記蒸発器で冷却された冷却空気を、前記視認部と前記表示パネルとの間であって且つ表示パネルの上方から下方に向かって流通させる冷却空気供給手段と、を備えたことを特徴とする。【００１１】
かかる発明によれば、蒸発器で冷却された冷却空気を視認部と表示パネルとの間であって、且つ上方から下方に向かって流すことで、表示パネルの表示面は冷却空気によって冷却され、表示パネルの温度を例えば３０〜３５℃といった所定温度に保つことができる。
特に、表示パネルから発せられる熱によって上部が高温化するため、この表示パネルの上方から下方に向けて冷却空気を流すことによって、冷却空気を効果的に表示パネルに接触でき、表示パネルの冷却を効果的に行える。
これにより、太陽光の直射によるパネルの表示面の高温化や、筐体内の防水化による密閉による高温化に起因する表示パネルのブラックアウト現象を効果的に防止できる。【００１２】
さらに、視認部と表示パネルとの間に冷却空気を流通させることによって、視認部内面に視認部外面側との温度差によって生じる結露発生も防止できる。
また、筐体内の空間全体を冷却する必要がなく、視認部と表示パネルとの間に冷却空気を流すようにすればよいため、空気調整機に高い冷却能力を必要とせず、空気調整機をコンパクト化でき、ディスプレイ装置の大型化を防止できる。【００１３】
また、本発明において、筐体外部の外部空気を前記空気調整機の前記凝縮器で加熱し、前記凝縮器で加熱された加熱空気の少なくとも一部を、前記視認部の外側表面に導いて該外側表面に沿って流通させる加熱空気供給手段を備えるとよい。【００１４】
視認部の外表面に沿って加熱された外部空気を流さない場合、前記視認部と表示パネルとの間の空間を冷却空気が流れることによって視認部の外表面が筐体外の周辺温度よりも低くなることが考えられる。その場合、視認部の外表面が露点温度以下となると、視認部の外表面に結露が生じ、視認部を介したパネルの視認性が悪化する。そこで、前記視認部の筐体外側表面に沿って加熱された加熱空気を流通させることで、冷却空気が前記空間を流れて視認部の内面が冷却されても、視認部の外表面が加熱空気によって加温され露点温度以上を保つことができる。これにより、視認部表面の結露の発生を防止することができる。また、ヒートポンプサイクルを構成する空気調整機においては、凝縮器での熱交換は必要なものであるため、凝縮器で熱交換した熱を有効に利用することができる。【００１５】
また、本発明において、前記加熱空気供給手段は、前記冷却空気供給手段により前記視認部と前記表示パネルとの間に流通される冷却空気の流れと同方向になるように、前記加熱空気を流通させるとよい。【００１６】
前記視認部と表示パネルとの間の空間を流れる冷却空気は、空間を流れることにより次第に筐体内部やパネルの熱によって加温される。一方、前記加熱空気も前記視認部に沿って流れることにより次第に外気や視認部によって冷却される。
つまり、前記空間内の冷却気流れが上流側に行くほど、空間内の冷却空気の温度は低く、その位置の視認部外部で結露が発生しやすいこととなる。そこで、前記空間内の流れと同方向に前記加熱空気を流通させることで、結露が発生しやすい位置により暖かい加熱空気を流通させることができるため、視認部外部での結露の発生をより確実に防止することができる。【００１７】
また、本発明において、前記空気調整機を一つの空調ハウジング内に収納してユニット化するとともに、前記筐体内部に配置される空調ユニットと、前記空調ユニットは、前記表示パネルよりも下方に配置され、前記冷却空気供給手段は、前記筐体内であって、前記表示パネルよりも上方に設けた冷却空気ディフューザと、前記冷却空気ディフューザに設けられて前記視認部と表示パネルとの間に向けて開口されたスリットとにより構成されるとよい。【００１８】
このように、空気調整機を一つの空調ハウジング内に収納してユニット化して空調ユニットとして筐体内に配置するので、ヒートポンプサイクルを構成する圧縮機や蒸発品等の故障時やメンテナンス時に、空気調整ユニットとしてユニットごと交換することができため、配線および配管作業が容易化して、部品の故障時やメンテナンス時の対応が容易化する。【００１９】
また、前記冷却空気を上から下に向けて前記視認部と表示パネルとの間に流通させ後の冷却空気がパネル下方に設けた空調ユニットに近い位置に流れることになる。これにより、冷却空気の循環がしやすくなる。
また、空気調整機は重量が大きいため、ユニット化して、表示パネルよりも下方、好ましくは筐体内最下部に設けることで空気調整機を保持するための支持部材等の強度を大きくする必要がない。これによって、ディスプレイ装置の大型化を防止できる。【００２０】
また、本発明において、前記空気調整ユニットは、筐体内の内部空気を前記蒸発器に取り込む内部空気取込口を前記空調ハウジングの上面に設けるとよい。
これにより、内部空気取込口が視認部と表示パネルとの間を通過した後の冷却空気に近い位置になり、冷却空気の循環がしやすくなる。【００２１】
また、本発明において、前記筐体の視認部と反対側の面を構成するバックパネルと、前記空調ユニットとが一体化して形成されるとよい。
これにより、空気調整機の故障やメンテナンスの際には、バックパネルと空調ユニットとの一体化物を交換することで対応可能であり、空気調整機の故障やメンテナンス時の対応が容易となる。また、空気調整機で冷却した冷却空気の通路をバックパネルと一体化しておけば、空調ユニットの交換時にバックパネルを取り外すだけでよく、通路の取り外し等が必要なく、故障やメンテナンス時の対応がさらに容易になる。【００２２】
また、本発明において、前記空調ユニットは、前記外部空気を前記凝縮器に取り込む外部空気吸入口を前記空調ハウジングの側面に設け、さらに、該空調ハウジングの外部空気吸入口に対向した前記筐体に外部空気取込口が形成されるとともに、該外部空気取込口は前記視認部の反対側の筺体側面に形成されるとよい。【００２３】
筐体外部の視認部正面には、パネルに表示された画像や映像を見るために人が立つ場合が多い。そのため、視認部と反対側の筐体側面に外部空気取込口を設けることで、人が立つことの多い視認部正面に空気の流れが発生しない。これによって、筐体外部から空調ユニット内への空気の取り込みが確実に行われる。【００２４】
また、本発明において、前記視認部と表示パネルとの間に流通される冷却空気の温度を検出する冷却空気温度計と、前記冷却空気温度計の検出値に基づいて、前記視認部と表示パネルとの間に流通される冷却空気温度を制御する温度制御装置と、該温度制御装置に入力される前記冷却空気温度の検出値を含む筐体の内部および外部の環境情報を、ネットワークを介して外部のネットワーク機器に配信する環境情報配信手段と、を備えるとよい。【００２５】
これにより、視認部と表示パネルとの間に流通される冷却空気の温度を一定としたまま、空気調整機を運転し続けることができる。
また、前記冷却空気温度計の検出値を含めて、筐体の内部および外部の温度や湿度等の環境情報を、ネットワークを介して外部のネットワーク機器に配信することで、外部で筐体内外の状態を監視することができる。
例えば、複数のディスプレイ装置を配置する場合、複数のディスプレイ装置それぞれの場所での筐体内部の温度計の検出値や外部の大気温度値を１つのネットワークを介して他のネットワーク機器に配信すれば、他の場所で複数のディスプレイ装置の作動状態を管理することができる。【００２６】
また、本発明において、前記空気調整機を一つの空調ハウジング内に収納して空調ユニットを構成するとともに、該空調ユニット内に前記温度制御装置および前記環境情報配信手段をも収納配置されるとよい。
このように、空調ユニット内に、温度制御装置および環境情報配信手段を収納配置することによって、空調ユニット毎移動できるようになり、ディスプレイ装置の大きさや設置場所の変更への対応が容易となり、ディスプレイ装置の設計の自由度が向上する。
【発明の効果】
【００２７】
本発明によれば、太陽光の直射によるパネルの表示面の高温化や、筐体内の防水化による密閉によって生じる筐体内の高温化に起因する表示パネルのブラックアウト現象を効果的に防止できるとともに、視認部内面での結露の発生をも防止することができ、さらに、空気調和機をコンパクトに構成でき、ディスプレイ装置の大型化を防止できる。
【図面の簡単な説明】
【００２８】
【図１】実施形態１に係るディスプレイ装置を示す分解斜視図である。
【図２】エアコンを示す斜視図である。
【図３】エアコン内部のフロー図である。
【図４】筐体内部の構成を説明する第１説明図である。
【図５】筐体内部の構成を説明する第２説明図である。
【図６】筐体内部の構成を説明する第３説明図である。
【図７】図４におけるＡ部拡大図である。
【図８】実施形態２における筐体内部の構成を示す説明図である。
【発明を実施するための形態】
【００２９】
以下、図面を参照して本発明の好適な実施例を例示的に詳しく説明する。但しこの実施例に記載されている構成部品の寸法、材質、形状、その相対的配置等は特に特定的な記載がない限りは、この発明の範囲をそれに限定する趣旨ではなく、単なる説明例に過ぎない。
【００３０】
（実施形態１）
まず、図１及び図２を用いて実施例に係るディスプレイ装置の構成の概要について説明する。
図１は、実施形態１に係るディスプレイ装置を示す分解斜視図である。
実施例に係るディスプレイ装置１は、筐体２と、パネル（表示パネル）１０と、エアコンユニット１２とを有して構成されている。
【００３１】
筐体２は、メインケース４と、強化ガラス６と、ドア８とを組み合わせることで箱体に構成されている。強化ガラス６は、強化ガラス６を介して筐体２の内部を外部から視認できるような透明のものである。また、ドア８は、筐体２の内部を点検等する際に開閉するために設けられるものである。
【００３２】
パネル１０は、画像や映像を表示するためのものであり、液晶パネルやプラズマディスプレイパネル等を用いることができる。
【００３３】
エアコンユニット（空調ユニット）１２は、後述の冷媒循環路４２と、冷媒循環路４２上に配置された圧縮機３２、凝縮器３４、膨張弁３６及び蒸発器３８と、その他ヒートポンプサイクルを構成する機器をケーシング（空調ハウジング）１３内に一体に収容したものである。そして、エアコンユニット１２は、ヒートポンプサイクルを用いて筐体内部の空気を冷却するとともに、筐体外部の空気を加熱するためのものである。
【００３４】
図２は、エアコンユニット１２を示す斜視図である。図２に示すように、エアコンユニット１２には、ケーシング１３上面に筐体２内部の内部空気を吸入する内部空気取込口１４と、内部空気取込口１４より取り込まれて冷却された冷却空気を筐体２内部に吐出する冷却空気吐出口１６が、それぞれ設けられている。また、ドア８に設けられた外部空気取込口２４を介して筐体２外部の外部空気を吸入する外部空気吸入口１８が、ケーシング１３側面に、外部空気取込口２４と対向して設けられている。また、外部空気吸入口１８より取り込まれて加熱された加熱空気をエアコンユニット１２外に吐出する加熱空気吐出口２０が、ケーシング１３側面に、吐出口２６と対向して設けられている。なお、２２はエアコンユニット１２の運転状態を示す表示部である。
【００３５】
エアコンユニット１２はその内部に圧縮機３２、凝縮器３４、膨張弁３６、蒸発器３８を有して構成されているので、ヒートポンプサイクルを構成する圧縮機３２や蒸発器３８等の故障時やメンテナンス時に、エアコンユニット１２としてユニットごと交換することができため、配線および配管作業が容易化して、部品の故障時やメンテナンス時の対応が容易になる。
【００３６】
次に、図３を用いてエアコンユニット１２におけるヒートポンプサイクルを用いた内部空気の冷却及び外部空気の加熱の原理について説明する。図３は、エアコンユニット１２の内部のフロー図である。図３において、点線ｃで囲まれた範囲にある機器がケーシング１３内に収納されている。
【００３７】
図３に示すように、エアコンユニット１２はその内部に圧縮機３２、凝縮器３４、膨張弁３６、蒸発器３８を有して構成されている。また、圧縮機３２、凝縮器３４、膨張弁３６及び蒸発器３８は、ＣＯ２等の冷媒が循環する冷媒循環路４２上に上記の順番に配置されている。また、圧縮機３２出口と蒸発器３８入口を接続するバイパス路４１が設けられており、バイパス路４１上にバイパス膨張弁４０が設けられている。
【００３８】
圧縮機３２は、圧縮機３２から吐出された冷媒が、該冷媒の臨界圧力及び臨界温度を超えた高温高圧の超臨界状態となるように運転される。圧縮機３２で超臨界状態となった冷媒は、冷媒循環路４２を通って凝縮器３４に達する。
【００３９】
凝縮器３４に達した冷媒は、外部空気吸入口１８より取り込まれた外部空気ａによって冷却されて凝縮し、高圧の液体に変化する。凝縮器３４で凝縮した冷媒は、冷媒循環路４２を通って膨張弁３６に達する。一方、外部空気ａは凝縮器３４で超臨界状態の冷媒と熱交換することによって加熱され、熱風となってエアコンユニット１２より加熱空気となって排出される。
【００４０】
凝縮器３４で高圧の液体に変化した冷媒は、膨張弁３６で減圧されて低圧の液体に変化する。膨張弁３６で低圧の液体に変化した冷媒は、冷媒循環路４２を通って蒸発器３８に達する。
【００４１】
蒸発器３８に達した冷媒は、内部空気取込口１４より取り込まれた内部空気ｂから熱を吸収して蒸発する。蒸発器３８で蒸発した冷媒は、冷媒循環路４２を通って圧縮機３２に達する。一方、内部空気ｂは蒸発器３８で冷媒に熱を吸収されることによって冷却され、冷却空気となって、蒸発器ファン３９によって後述するように送風される。
【００４２】
なお、蒸発器３８で冷却された後の冷却空気の温度が一定となるように、必要に応じてバイパス路４１、バイパス膨張弁４０を用いる。この場合、凝縮器３４で冷却されていない冷媒は、バイパス膨張弁４０で膨張させて低圧の液体に変化して、膨張弁３６を通る場合よりも温度の高い状態で蒸発器３８に達する。バイパス膨張弁４０は、後述する冷却空気ディフューザ４６内の冷却空気温度計７２の検出温度が所定温度となるように、冷却空気温度計７２の検出温度に基づいて、温度制御装置７０によって制御される。
【００４３】
バイパス膨張弁４０の開度を制御することで、蒸発器３８で冷却された後の冷却空気の温度を一定とする制御を、エアコンユニット１２の圧縮機３２の運転状態を保持したまま可能となる。これによって、圧縮機３２のＯＮ、ＯＦＦを繰り返す制御を行うことがないため、冷却空気の温度制御が安定的に得られる。
【００４４】
また、温度制御装置７０に取り込まれた冷却空気温度計７２の検出値は、環境情報配信手段７４によって、ネットワーク７５を介して、外部のネットワーク機器７６に配信される。冷却空気温度計７２の検出値がネットワーク７５によって配信されることで、筐体２の外部で筐体２内の空気温度状態を監視することができる。
さらに、例えば、複数のディスプレイ装置を配置し、複数のディスプレイ装置それぞれの冷却空気温度計７２の検出値をネットワーク７５を介して他のネットワーク機器７６に配信すれば、他の位置で複数のディスプレイ装置の状態を管理することができる。
【００４５】
なお、前記冷却空気温度計７２に加えて、図示しない冷却空気湿度計、外部空気に係る情報の外部温度計や外部湿度計を１つ以上設け、これら温度計や湿度計の検出値と前記冷却空気温度計７２との検出値に基づいて冷却空気の温度を制御してもよい。
このように筐体２の内部の空気状態、および外部の空気状態を温度計、湿度計を用いて検出して、その情報を用いて冷却空気の温度制御を行うことにより、きめ細かな温度制御が可能になる。
さらに、筐体２の内部の空気状態、および外部の空気状態に関する温度や湿度等の環境情報を、環境情報配信手段７４によってネットワーク７５を介して配信することで、他の場所で複数のディスプレイ装置の内部および外部の環境状態を詳細に把握でき、これらデータを基に複数のディスプレイ装置を管理できるようになる。
【００４６】
また、エアコンユニット１２内に前記温度制御装置７０および前記環境情報配信手段７４が収納配置されている。エアコンユニット１２内に、温度制御装置７０および環境情報配信手段７４を収納配置することによって、エアコンユニット１２毎移動できるようになるため、ディスプレイ装置１の大きさや設置場所の変更への対応が容易となり、ディスプレイ装置１の設計の自由度が向上する。
【００４７】
次に、ディスプレイ装置１を構成する筐体内部の構成について詳細に説明する。
図４は、筐体内部の構成を説明する第１説明図であって、図１に示すメインケース４の左側面４ａと、図２に示すエアコンユニット１２の左側面１２ａとを省略（取り外）して描いた実施形態１に係るディスプレイ装置１の左側面の概要を示す説明図である。
図５は、筐体内部の構成を説明する第２説明図であって、図１に示すメインケース４の右側面４ｂと、図２に示すエアコンユニット１２の右側面１２ｂとを省略（取り外）して描いた実施形態１に係るディスプレイ装置１の右側面の概要を示す説明図である。
図６は、筐体内部の構成を説明する第３説明図であって、図１に示すドア８と、図２に示すエアコンユニット１２の背面１２ｃとを省略（取り外）して描いた実施形態１に係るディスプレイ装置１の背面の概要を示す説明図である。
図７は、図４におけるＡ部拡大図である。
【００４８】
図４及び図６に示すように、冷却空気吐出口１６にはホース４４が接続されている。ホース４４は、筐体２内部上方に設置された冷却空気ディフューザ４６に接続されている。冷却空気ディフューザ４６は、図６に示すようにパネル１０の幅方向全体に亘る範囲に設けられており、その下部にはパネル１０と強化ガラス６との間の空間４７に内部の空気を噴出するスリット状の冷却空気噴出口４８が設けられている。
冷却空気ディフューザ４６とスリット状の冷却空気噴出口４８とによって、視認部と表示パネルとの間を下に向けて冷却空気を噴出する冷却空気供給手段５３を構成している。
【００４９】
また、図５に示すように、加熱空気吐出口２０には、加熱空気分岐路５２が接続されている。加熱空気分岐路５２は、ドア８に設けられた吐出口２６に接続されるとともに、筐体２の内部に設けられたブースターファン５４に至っている。ブースターファン５４の吐出側には、加熱空気通路６０が接続されている。加熱空気通路６０は、筐体２の上部に設けられた加熱空気ディフューザ５６に接続されている。加熱空気ディフューザ５６は、図６に示すようにパネル１０の幅方向全体に亘る範囲に設けられており、強化ガラス６の外表面に沿って空気を噴出する加熱空気噴出口５８が設けられている。
加熱空気ディフューザ５６と加熱空気噴出口５８とによって、強化ガラス６の外表面に沿って空気を噴出する加熱空気供給手段５９を構成している。
【００５０】
以上の構成のディスプレイ装置１において、蒸発器３８で冷媒に熱を吸収されることによって冷却された冷却空気は、蒸発器ファン３９によって送風される。蒸発器ファン３９によって送風された冷却空気は、冷却空気吐出口１６、ホース４４を介して冷却空気ディフューザ４６に供給される。冷却空気ディフューザ４６に供給された冷却空気は、冷却空気噴出口４８より強化ガラス６とパネル１０との間の空間４７を下方に向けて噴出される。空間４７に噴出された冷却空気は空間４７を上から下に向かって流れた後、内部空気取込口１４を介して再度蒸発器３８に吸入される。
【００５１】
即ち冷却空気は、蒸発器３８→蒸発器ファン３９→冷却空気吐出口１６→ホース４４→冷却空気ディフューザ４６→冷却空気噴出口４８→空間４７→内部空気取込口１４→蒸発器３８の順に循環する。
蒸発器３８で冷却された冷却空気が空間４７を流れることで、パネル１０が冷却空気によって冷却され、パネル１０の温度を所定温度（例えば３０〜３５℃）に保つことができる。これにより、パネル１０のブラックアウト現象を防止することができる。また、筐体２内全体を冷却する必要がなく、強化ガラス６とパネル１０との空間４７に冷却空気を流すようにすればよいため、エアコンユニット１２には高い冷却能力を必要とせず、エアコンユニット１２をコンパクトに構成できる。
【００５２】
一方、ドア８に設けられた外部空気取込口２４から筐体２内に取り込まれた外部空気は、外部空気取込口２４と外部空気吸入口１８との間に設けられたエアフィルター５０によって塵、埃等の不純物が除去された後、外部空気吸入口１８よりエアコンユニット１２内に吸入される。
エアコンユニット１２内に吸入された外部空気は、凝縮器ファン３５によって凝縮器３４に送られた後、凝縮器３４で前記冷媒と熱交換することによって加熱される。凝縮器３４で加熱された外部空気は、加熱空気となって加熱空気分岐路５２に導かれる。加熱空気分岐路５２に導かれた加熱空気は、一部は吐出口２６より筐体２外に排出され、残りの一部はブースターファン５４により加熱空気通路６０を通って加熱空気ディフューザ５６に供給される。加熱空気ディフューザ５６に供給された加熱空気は、加熱空気噴出口５８より強化ガラス６の外表面に沿って下方に向けて噴出される。
【００５３】
即ち加熱空気は、外部空気取込口２４→エアフィルター５０→凝縮器ファン３５→凝縮器３４→加熱空気分岐路５２の順に流れる。加熱空気分岐路５２を流れる加熱空気は、一部は吐出口２６より外部に排出され、残る一部はブースターファン５４→加熱空気通路６０→加熱空気ディフューザ５６→加熱空気噴出口５８→強化ガラス６の外表面に沿った筐体２外部の順に流れる。
【００５４】
強化ガラス６の外表面に沿って加熱空気を流さない場合、空間４７を冷却空気が流れることによって強化ガラス６の外表面が筐体２外の周辺温度よりも低くなることが考えられる。その場合、強化ガラス６の外表面が露点温度以下となると、強化ガラス６の外表面に結露が生じ、強化ガラス６を介したパネル１０の視認性が悪化する。
本実施例においては、凝縮器３４で加熱された加熱空気が強化ガラス６の外表面に沿って流れることで、冷却空気が空間４７を流れることによって強化ガラス６の内面が冷却されても、強化ガラス６の外表面が加熱空気によって加温され露点温度以上を保つことができる。これにより、強化ガラス６表面への結露の発生を防止することができる。
【００５５】
（実施形態２）
図８を参照して実施形態２を説明する。図８は図４に対応する図であり、図１に示すメインケース４の左側面４ａと、図２に示すエアコンユニット１２の左側面１２ａとを省略（取り外）して描いたディスプレイ装置１の左側面の概要を示す説明図である。なお、図８において、図１〜図７と同符号は同一物を表すものとし、その説明を省略する。
【００５６】
実施形態２においては、エアコンユニット１２が、強化ガラス６と反対側の面を構成するバックパネルであるドア８と一体化して構成されている。また、ホース４４は、ドア８と一体化した冷却空気通路４５に接続されている。冷却空気通路４５は、ドア８を閉めたときに冷却空気ディフューザ４６と冷却空気流通口５１を介して連通している。なお、４９は、ドア８の開閉時に冷却空気ディフューザ４６と冷却空気通路４５の衝突の衝撃を和らげるためのクッションである。
【００５７】
実施形態２によれば、エアコンユニット１２の故障やメンテナンスの際には、ドア８とエアコンユニット１２との一体化物を交換することで対応可能であり、エアコンユニット１２の故障やメンテナンス時の対応が容易である。さらに、エアコンユニット１２で冷却した冷却空気の通路である冷却空気通路４５をドア８と一体化しているので、エアコンユニット１２の交換時にドア８を取り外すことで冷却空気通路４５がドア８と一体的に取り外されるため、冷却空気通路４５だけ別に取り外し等が必要なく、故障やメンテナンス時の対応がさらに容易となる。
【産業上の利用可能性】
【００５８】
本発明によれば、太陽光の直射によるパネルの表示面の高温化や、筐体内の防水化による密閉によって生じる筐体内の高温化に起因する表示パネルのブラックアウト現象を効果的に防止できるとともに、視認部内面での結露の発生をも防止することができ、さらに、空気調和機をコンパクトに構成できるので、画像や映像を表示する表示用パネルを有するディスプレイ装置への利用に適する。
【符号の説明】
【００５９】
１  ディスプレイ装置
２  筐体
６  強化ガラス（視認部）
８  ドア（バックパネル）
１０  パネル（表示パネル）
１２  エアコンユニット（空調ユニット）
１３  ケーシング（空調ハウジング）
１４  内部空気取込口
１６  冷却空気吐出口
３２  圧縮機
３４  凝縮器
３６  膨張弁
３８  蒸発器
４６  内部空気ディフューザ
４８  内部空気噴出口（スリット）
５３  冷却空気供給手段
５９  加熱空気供給手段
７０  温度制御装置
７４  環境情報配信手段
【図１】
2012140714.tif 000003
【図２】
2012140714.tif 000004
【図３】
2012140714.tif 000005
【図４】
2012140714.tif 000006
【図５】
2012140714.tif 000007
【図６】
2012140714.tif 000008
【図７】
2012140714.tif 000009
【図８】
2012140714.tif 000010
【手続補正書】
【提出日】平成23年10月14日(2011.10.14)
【手続補正１】
【補正対象書類名】特許請求の範囲
【補正対象項目名】全文
【補正方法】変更
【補正の内容】
【特許請求の範囲】
【請求項１】
筐体と、
該筐体内に収納されて画像又は映像を表示する表示パネルと、
該表示パネルに対向する前記筐体の一部に形成されるとともに、筐体内部を視認できる透明な部材で形成された視認部と、
圧縮機、凝縮器、膨張弁、及び蒸発器を接続しこれら機器に冷媒を循環させてヒートポンプサイクルを構成するとともに、前記筺体の内部に設けられる空気調整機と、
該空気調整機の前記蒸発器で冷却された冷却空気を、前記視認部と前記表示パネルとの間であって且つ表示パネルの上方から下方に向かって流通させる冷却空気供給手段と、
筐体外部の外部空気を吸入して前記空気調整機の前記凝縮器で加熱し、前記凝縮器で加熱された加熱空気の少なくとも一部を、前記視認部の外側表面に導いて該外側表面に沿って流通させる加熱空気供給手段と、を備え、
該加熱空気供給手段は、筺体の上部に前記表示パネルの幅方向全体にわたる範囲に設けられて、筺体の上部に導かれた前記加熱空気を視認部の外側表面に前記冷却空気と同方向に上方から下方に向かって噴出する加熱空気噴出口を備えていることを特徴とするディスプレイ装置。
【請求項２】
（削除）
【請求項３】
（削除）
【請求項４】
前記空気調整機を一つの空調ハウジング内に収納してユニット化するとともに、前記筐体内部に配置される空調ユニットと、
前記空調ユニットは、前記表示パネルよりも下方に配置され、前記冷却空気供給手段は、
前記筐体内であって、前記表示パネルよりも上方に設けた冷却空気ディフューザと、
前記冷却空気ディフューザに設けられて前記視認部と表示パネルとの間に向けて開口されたスリットとにより構成されていることを特徴とする請求項１記載のディスプレイ装置。
【請求項５】
前記空調ユニットは、筐体内の内部空気を前記蒸発器に取り込む内部空気取込口を前記空調ハウジングの上面に設けていることを特徴とする請求項４記載のディスプレイ装置。
【請求項６】
前記筐体の視認部と反対側の面を構成するバックパネルと、前記空調ユニットとが一体化して形成されることを特徴とする請求項４又は５記載のディスプレイ装置。
【請求項７】
前記空調ユニットは、筺体外部の外部空気を前記凝縮器に取り込む外部空気吸入口を前記空調ハウジングの側面に設け、さらに、空調ハウジングの外部空気吸入口に対向した前記筐体に外部空気取込口が形成されていることを特徴とする請求項４又は５記載のディスプレイ装置。
【請求項８】
前記視認部と表示パネルとの間に流通される冷却空気の温度を検出する冷却空気温度計と、
前記冷却空気温度計の検出値に基づいて、前記視認部と表示パネルとの間に流通される冷却空気温度を制御する温度制御装置と、
該温度制御装置に入力される前記冷却空気温度の検出値を含む筐体の内部および外部の環境情報を、ネットワークを介して外部のネットワーク機器に配信する環境情報配信手段と、を備えたことを特徴とする請求項１記載のディスプレイ装置。
【請求項９】
前記空気調整機を一つの空調ハウジング内に収納して空調ユニットを構成するとともに、該空調ユニット内に前記温度制御装置および前記環境情報配信手段をも収納配置されることを特徴とする請求項８記載のディスプレイ装置。
【国際調査報告】
2012140714.tif 000011
2012140714.tif 000012
2012140714.tif 000013
2012140714.tif 000014